(57)【要約】      （修正有）【課題】完全且つ効果的に気体の漏れを防止するバルブを提供する。【解決手段】気体の漏れを防止するバルブは、第一主体１が気体充填物件に設置された後、気体供給源が気体を第一主体１内組合せ部材２の中空流道２２に進入させると、中空流道口に位置する詰めバルブコア３を押し開けて気体を充填する。また、気体の充填が完了して気体供給源が離脱すると同時に、詰めバルブコア３が気体充填物件の気圧を受けて上に上がり、その下部のバネ４によって元の位置に戻されて中空流道２２を封じ、さらに、バルブキャップ５によって螺旋方式で第一主体１中に設置される。【選択図】図１Ａ
0003180695.tif 000002
【実用新案登録請求の範囲】
【請求項１】
第一主体内に、組合せ部材、詰めバルブコア、バネ、バルブキャップが設置されて構成される気体の漏れを防止するバルブであって、
このうち、第一主体外表面両端は、それぞれ外螺旋部分を有し、上方の外螺旋部分は、バルブキャップ内部空間の内螺旋孔と螺合し、下方の外螺旋部分は、気体充填物件と螺合に供し、また、中間位置は、両端を貫通する中空孔であり、前記孔の上、下両端は、内螺旋模様を有して、それぞれ組合せ部材、第二主体と螺合し、さらに、第一主体中間位置の中空孔上方の組合せ部材は、外表面上方に外螺旋部分を有して、第一主体の中空孔内螺旋模様と螺合して位置決めと同時に結合し、中間位置は、中空流道であり、中空流道の狭い箇所の底面は、錐形状となり、中空流道口を形成して、詰めバルブコアの錐面に接触し、組合せ部材の中空流道中の詰めバルブコアは、傘状であり、すなわち、上半部表面上が錐面で、下半部の本体部分の円の径が上半部より小さいことで、バネを設置するようになっていて、また、本体部分底端には、貫通した流道が設置されて、気体充填時に、導入と流通に供し、詰めバルブコアは、弾力性を有するゴム材質によって製造されて、また、バルブキャップの内部空間、第一主体の両外螺旋部分及び中空流道表面には、それぞれ漏れ止めリングが設置され、第一主体が気体充填物件に設置された後、気体供給源が気体を第一主体内の組合せ部材の中空流道に進入させると、中流道口に位置する詰めバルブコアを押し開けて気体の充填を行い、気体の充填が完了して気体供給源が離脱すると同時に、押し上げバルブコアが  気体充填物件の気圧を受けて押し上げられて、その下部のバネが有する弾力によって元の位置に戻されることで、中空流道を押し上げて封じ、さらに、バルブキャップが旋螺方式で第一主体中に設置され、これによって、確実に密封効果を有して気体漏れを阻止する目的を達成することを特徴とする気体の漏れを防止するバルブ。
【請求項２】
第二主体内に、押し上げバルブコア、位置決め部材が設置されて、その上方にバルブキャップが設置され、このうち、第二主体外表面両端には、それぞれ外螺旋部分を有して、上方の外螺旋部分は、バルブキャップの内部空間の内螺旋孔と螺合し、下方の外螺旋部分は、気体充填物件と螺合するのに用いられて、中間位置は、両端に貫通した中空状の流通孔道であり、流通孔道の狭い箇所の底面が錐形状となっていて、流通孔道口を形成して、押し上げバルブコアの長柱パーツが挿入されて通過すると同時に、流体の通路の開閉に供し、また、流通孔道上端は、内螺旋模様を有して、押し上げバルブコアが設置された後、位置決め部材外表の外螺旋部分によって螺合し、押し上げバルブコアは、弾力性のあるゴム材質によって製造され、長柱パーツ及び栓パーツによって結合組成され、栓パーツ頂上面は錐面であり、底端には貫通状の流道を有して、気体充填時に導入及び流通に供し、また、第二主体のくぼみ環状溝表面には、それぞれ漏れ止めリングが設置され、第二主体が気体充填物件に設置された後、気体供給源から注入された気体が第二主体内の流通孔道に進すると、流通孔道口の押し上げバルブコアを押し開けて気体の充填が行われ、気体の充填が完了した後、気体供給源が離脱すると同時に、押し上げバルブコアが気体充填物件の気圧を受けて押し上げられて元の位置に戻されることで、流通孔道を押し付けて封じ、さらに、バルブキャップが旋螺方式で第二主体中に設置され、これによって、確実に密封効果を有して気体漏れを阻止する目的を達成することを特徴とする気体の漏れを防止するバルブ。      
【請求項３】
第一主体下方の内螺旋模様によって、第二主体上方の外螺旋部分と螺合することで一体となる請求項1に記載の気体の漏れを防止するバルブ。
【考案の詳細な説明】
【技術分野】
【０００１】
本考案は、気体の漏れを防止するバルブに関し、特に、第一主体が気体充填物件に設置された後、気体供給源が気体を第一主体内組合せ部材の中空流道に進入させると、中流道口に位置する詰めバルブコアを押し開けて気体を充填し、逆に、気体の充填が完了すると、詰めバルブコアが気体充填物件の気圧を受けて上に上がり、その下部のバネによって元の位置に戻されて中空流道を封じ、さらに、バルブキャップによって螺旋方式で第一主体中に設置されることで、確実に密封して気体の漏れを防ぐ目的を達成する気体の漏れを防止するバルブに関する。
【背景技術】
【０００２】
現在、気体充填物件（例えば、タイヤ）に設置されるバルブは、一定の期間静止し使用しない状態でも、気体が漏れて気圧が不足するという情況が常時発生する。このような状況は、ほとんどが、その使用しているバルブが完全且つ効果的に密封されていないからである。さらに、作動時にも、徐々に「気体が漏れて行く」という状況が発生する。これらはいずれもバルブが、完全且つ効果的に漏れを防止して密封させるという機能を果たしていないことに起因するものである。
【考案の概要】
【考案が解決しようとする課題】
【０００３】
したがって、本考案は、完全且つ効果的に期待の漏れを防止するバルブを提供することを課題とする。
【課題を解決するための手段】
【０００４】
上記課題を解決するために、本考案に係る気体の漏れを防止するバルブは、第一主体が気体充填物件に設置された後、気体供給源が気体を第一主体内組合せ部材の中空流道に進入させると、中流道口に位置する詰めバルブコアを押し開けて気体を充填し、気体の充填が完了して気体供給源が離脱すると同時に、詰めバルブコアが気体充填物件の気圧を受けて上に上がり、その下部のバネによって元の位置に戻されて中空流道を封じ、さらに、バルブキャップによって螺旋方式で第一主体中に設置されることで、確実に密封して気体の漏れを防ぐ目的を達成することを特徴とする。
【０００５】
さらに、上記課題を解決するために、本考案に係る気体の漏れを防止するバルブは、第一主体外表面両端に、それぞれ外螺旋部分が設置されて、上方の外螺旋部分はバルブキャップの内部空間の内螺旋孔と螺合され、下方の外螺旋部分は気体充填物件に螺合されるのに用いられ、中間位置には両端を貫通する中空孔を有し、前記孔の上、下両端には内螺旋模様を有して、それぞれ組合せ部材、第二主体と螺合されることを特徴とする。
【０００６】
さらに、上記課題を解決するために、本考案に係る気体の漏れを防止するバルブは、第一主体の中間に位置する中空孔上方の組合せ部材外表面上方に外螺旋部分を有して、第一主体中空孔内側の内螺旋模様と螺合して位置決めと同時に結合し、中間位置には中空流道を有して、中空流道の狭い箇所の底面は錐形状となり、中空流道口が形成されることで、詰めバルブコアの錐面と接触することを特徴とする。
【０００７】
さらに、上記課題を解決するために、本考案に係る気体の漏れを防止するバルブは、組合せ部材の中空流道中の詰めバルブコアが傘状であり、すなわち、上半部表面上が錐面で、下半部の本体部分の円の径が上半部より小さいことで、バネを設置するようになっていて、気体充填後にバネの弾力によって上に持ち上がり中空流道を封じることを特徴とする。
【０００８】
さらに、上記課題を解決するために、本考案に係る気体の漏れを防止するバルブは、詰めバルブコアが、弾力性のあるゴム材質で製造されて、気体の充填後、バネの弾力によって押し戻されて中空流道を封じる時、さらに、それ自身の弾力性によって、確実に密封して気体の漏れを防止する目的を達成することを特徴とする。
【０００９】
さらに、上記課題を解決するために、本考案に係る気体の漏れを防止するバルブは、第二主体が気体充填物件に設置された後、気体供給源が気体を第二主体内の流通孔道に進入させると、開流通孔道口を押し上げてバルブコアを押し開き、気体の充填を実施し、気体の充填が完了して、気体供給源が離脱すると同時に、押し上げバルブコアが気体充填物件の気圧を受けて押し上げられて、元の位置に戻されることで、流通孔道を封じ、その後、さらに、バルブキャップによって旋螺方式で第二主体中に設置されて、密封して期待の漏れを阻止する目的を達成することを特徴とする。
【００１０】
さらに、上記課題を解決するために、本考案に係る気体の漏れを防止するバルブは、第二主体の外面両端に、それぞれ外螺旋部分を有して、上方の外螺旋部分は、バルブキャップ内部空間の内螺旋孔に螺合し、下方の外螺旋部分は、気体充填物件に螺合するのに用いられ、中間位置は、両端に貫通する中空状の流通孔道を有し、流通孔道の狭い箇所の底面は、錐形状であり、流通孔道口を形成することで、押し上げバルブコアの長柱パーツを流通孔道口中に収納し、さらに、流通孔道上端には内螺旋模様を有して、押し上げバルブコアが設置された後、位置決め部材外表面の外螺旋部分と螺合することを特徴とする。
【００１１】
さらに、上記課題を解決するために、本考案に係る気体の漏れを防止するバルブは、第二主体流通孔道下方の押し上げバルブコアは、長柱パーツと栓パーツから成り、且つ、栓パーツ頂上面が錐面で、位置決め部材によって第二主体に設置された後、押し上げバルブコアの長柱パーツが、流通孔道口中に進入することを特徴とする。
【００１２】
さらに、上記課題を解決するために、本考案に係る気体の漏れを防止するバルブは、押し上げバルブコアは、弾力性を有するゴム材質によって製造され、気体充填が完了すると、気体充填物件の気圧によって  押し上げバルブコアを押し上げるため、押し上げバルブコアの栓パーツは、その錐面によって流通孔道口にしっかりと張り付いて、気体の漏れを阻止する作用を達成することを特徴とする。
【００１３】
さらに、上記課題を解決するために、本考案に係る気体の漏れを防止するバルブは、第二主体外表面両端は、それぞれ外螺旋部分を有して、上方の外螺旋部分は第一主体下方の内螺旋模様と螺合することで、組み合わさって一体となることを特徴とする。
【００１４】
さらに、上記課題を解決するために、本考案に係る気体の漏れを防止するバルブは、詰めバルブコアの本体部分底端及び押し上げバルブコアの栓パーツ底端は、それぞれ貫通した流道を有して、気体充填時に  導入及び流通に供することを特徴とする。
【００１５】
さらに、上記課題を解決するために、本考案に係る気体の漏れを防止するバルブは、バルブキャップの内部空間、第一主体の両外螺旋部分及び中空流道、第二主体のくぼみ環状溝表面は、それぞれ漏れ止めリングが設置されることで、気体漏れを阻止する密封効果を強化することを特徴とする。
【考案の効果】
【００１６】
このように、本考案に係る気体の漏れを防止するバルブは、第一主体が気体充填物件に設置された後、気体供給源が気体を第一主体内組合せ部材の中空流道に進入させると、中流道口に位置する詰めバルブコアを押し開けて気体を充填し、逆に、気体の充填が完了すると、詰めバルブコアが気体充填物件の気圧を受けて上に上がり、その下部のバネによって元の位置に戻されて中空流道を封じ、さらに、バルブキャップによって螺旋方式で第一主体中に設置されることで、確実に密封して気体の漏れを防ぐ目的を達成する。
【図面の簡単な説明】
【００１７】
【図１Ａ】本考案を示した図（一）である。
【図１Ｂ】本考案の拡大断面図（一）である。
【図２】本考案の断面図（一）である。
【図３Ａ】本考案を示した図（二）である。
【図３Ｂ】本考案の拡大断面図（二）である。
【図４】本考案の断面図（二）である。
【図５】本考案の実施形態を示した図である。
【図６】本考案の気体充填時の状態を示した図である。
【図７】本考案の気体充填完了後の状態を示した図である。
【図８】本考案を単一で実施した場合の図（一）である。
【図９】本考案を単一で実施した場合の図（二）である。
【図１０】本考案の実施形態を示した図である。
【考案を実施するための形態】
【００１８】
まず、図１A、図１B及び図２を参照しながら、本考案の気体の漏れを防止するバルブについて説明する。本考案の気体の漏れを防止するバルブは、第一主体1内に組合せ部材2、詰めバルブコア3、バネ4、バルブキャップ5が設置されて構成される。このうち、第一主体1外表面両端は、それぞれ外螺旋部分11を有し、上方の外螺旋部分11は、バルブキャップ5内部空間51の内螺旋孔52と螺合する。下方の外螺旋部分11は、気体充填物件Bと螺合に供する。また、中間位置は、両端を貫通する中空孔12であり、前記孔の上、下両端は、内螺旋模様13を有して、それぞれ組合せ部材2、第二主体6と螺合する。さらに、第一主体1中間位置の中空孔12上方の組合せ部材2は、外表面上方に外螺旋部分21を有して、第一主体1の中空孔12内螺旋模様13と螺合して位置決めと同時に結合する。中間位置は、中空流道22であり、中空流道22の狭い箇所の底面は、錐形状となり、中空流道口221を形成して、詰めバルブコア3の錐面31に接触する。組合せ部材2の中空流道22中の詰めバルブコア3は、傘状であり、すなわち、上半部表面上が錐面31で、下半部の本体部分32の円の径が上半部より小さいことで、バネ4を設置するようになっている。また、本体部分32底端には、貫通した流道33が設置されて、気体充填時に、導入と流通に供し、詰めバルブコア3は、弾力性を有するゴム材質によって製造される。
【００１９】
第二主体6内には、押し上げバルブコア7、位置決め部材8（図３A、図４に示したとおり）が設置される。それは、その外表面両端に、それぞれ外螺旋部分61を有して、上方の外螺旋部分11は、バルブキャップ5の内部空間51の内螺旋孔52と螺合する。下方の外螺旋部分61は、気体充填物件Bと螺合するのに用いられる。中間位置は、両端に貫通した中空状の流通孔道62であり、流通孔道62の狭い箇所の底面が錐形状となっていて、流通孔道口621を形成して、押し上げバルブコア7の長柱パーツ72が挿入されて通過すると同時に、流体の通路の開閉に供する。また、流通孔道62上端は、内螺旋模様63を有して、押し上げバルブコア7が設置された後、位置決め部材8外表の外螺旋部分81によって螺合する。押し上げバルブコア7は、弾力性のあるゴム材質によって製造され、長柱パーツ72及び栓パーツ71によって結合組成される。且つ、栓パーツ71頂上面は錐面（図３Bに示したとおり）であり、栓パーツ71底端には貫通状の流道73を有して、気体充填時に導入及び流通に供する。また、バルブキャップ5の内部空間51、第一主体1の両外螺旋部分11及び中空流道12、第二主体6のくぼみ環状溝64表面は、それぞれ漏れ止めリング9が設置される。
【００２０】
第一主体1、第二主体6が、それぞれ組み合わされた後、第二主体6上方の外螺旋部分61が、第一主体1下方内螺旋模様13と螺合して一体となる（図５に示したとおり）。さらに、第二主体6底端外螺旋部分61が気体充填物件Bに螺合されて設置されて、気体の充填がおこなわれる。すなわち、先ず、バルブキャップ5を回して開け、第一主体1の組合せ部材2を露出させて、さらに、気体供給源が気体Aを第一主体1内の組合せ部材2の中空流道22に進入させて、中空流道口221に位置する詰めバルブコア3を押し開けて、本体部分32底端の流道33に沿って第二主体6中の中空状の流通孔道62に進入し、且つ、流通孔道口621に位置する押し上げバルブコア7を押し開けて、栓パーツ71底端の流道73に沿って、位置決め部材8中間の流道82に進入して気体充填物件Bの気体充填空間B1に進入して気体の充填を行う（図６に示したとおり）。
【００２１】
気体充填完了後に、気体供給源が離脱すると同時に、第一主体1の詰めバルブコア3は、バネ4の弾力によって、第二主体6に位置する押し上げバルブコア7が気体充填物件Bの気圧を受けて、二段式で中空流道口221、流通孔道口621を封じる。こうして、気体の漏れを阻止する効果が形成された後、さらに、バルブキャップ5によって旋螺方式で第一主体1中に設置される（図７に示したとおり）。このように、複数の密封機能によって、確実に密封効果が達成されて、気体の漏れを阻止する目的を達成する。
【００２２】
当然、第一主体1のみによって気体充填物件B中に設置されることも可能であり（図８に示したとおり）、気体供給源から注入された気体Aが同様に上述の形態で中流道口221の詰めバルブコア3を押し開け、本体部分32底端の流道33に沿って気体の充填を行なう。気体の充填が完了した後、気体供給源が離脱すると、詰めバルブコア3が気体充填物件Bの気圧を受けて上に押し戻され、その下部のバネ4が有する弾力によって元の位置に戻されることで、中空流道22に向かって押し上げられて封じる。さらに、バルブキャップ5は、旋螺方式で第一主体1中に設置される。こうして、確実に密封作用を発揮し、気体漏れを阻止するという目的を達成する。
【００２３】
また、第二主体6のみによって気体充填物件B中に設置されることも可能である（図９に示したとおり）。気体供給源から注入された気体Aが同様に上述の形態で流通孔道口621の押し上げバルブコア7を押し開け、栓パーツ71底端の流道73に沿って気体充填を行なう。気体充填完了後は、気体供給源が離脱すると同時に、押し上げバルブコア7が気体充填物件Bの気圧を受けて、元の位置に押し戻されることで、押し上げバルブコア7の栓パーツ71の錐面を、流通孔道62にしっかりと貼り付けて、さらに、バルブキャップ5が旋螺方式で第二主体6中に設置されて、密封効果を有する気体漏れを阻止する目的が達成される。
【００２４】
本考案は、タイヤの気体充填物件C中において運用されたもので（図１０に示したとおり）、同様に密封効果が得られ、期待の漏れを阻止する目的が達成される。
【００２５】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００２６】
1         第一主体
11        外螺旋部分
12         中空孔
13        内螺旋模様
2        組合せ部材
21       外螺旋部分
22       中空流道
221       中空流道口
3          詰めバルブコア
31        錐面
32       本体部分
33       流道
4         バネ
5         バルブキャップ
51        内部空間
52       内螺旋孔
6        第二主体
61       外螺旋部分
62        流通孔道
621       流通孔道口
63       内螺旋模様
64         くぼみ環状溝
7          押し上げバルブコア
71          栓パーツ
72         長柱パーツ
73           流道
8          位置決め部材
81          外螺旋部分
82          流道
9           漏れ止めリング
A           気体
B           気体充填物件
B1          気体充填空間
【図１Ａ】
0003180695.tif 000003
【図１Ｂ】
0003180695.tif 000004
【図２】
0003180695.tif 000005
【図３Ａ】
0003180695.tif 000006
【図３Ｂ】
0003180695.tif 000007
【図４】
0003180695.tif 000008
【図５】
0003180695.tif 000009
【図６】
0003180695.tif 000010
【図７】
0003180695.tif 000011
【図８】
0003180695.tif 000012
【図９】
0003180695.tif 000013
【図１０】
0003180695.tif 000014